(57)【要約】【課題】ユーザの負担を軽減する。【解決手段】実施形態の記憶装置は、他の電子機器と無線を介して接続を確立して通信するためのアクセスポイント機能を有する記憶装置であって、認証部と、受信部と、記憶媒体と、送信部と、を備える。認証部は、第１の電子機器と接続するために第１の電子機器と少なくとも第１の認証を行い、第２の電子機器と接続するために第２の電子機器と少なくとも第２の認証を行う。受信部は、第１の認証が成功した後、第１の電子機器から、コンテンツを受信する。記憶媒体は、コンテンツを記憶する。送信部は、第２の認証が成功した後、第２の電子機器によりＵＲＬを用いて指定された記憶媒体上のコンテンツを、第２の電子機器において再生させるために、第２の電子機器へ送信する。【選択図】図３
2016066123.tif 000002
【特許請求の範囲】
【請求項１】
他の電子機器と無線を介して接続を確立して通信するためのアクセスポイント機能を有する記憶装置であって、
第１の電子機器と接続するために前記第１の電子機器と少なくとも第１の認証を行い、第２の電子機器と接続するために前記第２の電子機器と少なくとも第２の認証を行う認証部と、
前記第１の認証が成功した後、前記第１の電子機器から、コンテンツを受信する受信部と、
前記コンテンツを記憶する記憶媒体と、
前記第２の認証が成功した後、前記第２の電子機器によりＵＲＬを用いて指定された前記記憶媒体上のコンテンツを、前記第２の電子機器において再生させるために、前記第２の電子機器へ送信する送信部と、
を備える記憶装置。
【請求項２】
前記記憶媒体は、複数のコンテンツと、複数のコンテンツを切り替えるための設定情報と、を記憶し、
前記送信部は、前記第２の電子機器に対して、前記設定情報と、前記複数のコンテンツと、を送信する、
請求項１に記載の記憶装置。
【請求項３】
前記記憶媒体は、さらに、前記第２の電子機器に表示される前記コンテンツの表示態様の変更を実行するスクリプトを記憶し、
前記送信部は、前記第２の電子機器に対して、前記スクリプトを送信する、
請求項２に記載の記憶装置。
【請求項４】
前記受信部は、前記第１の認証が成功した後、前記第１の電子機器から、前記複数のコンテンツと、前記スクリプトを用いて前記複数のコンテンツのうち少なくともいずれか一つの表示態様の変更を行うための設定が示された前記設定情報と、を受信し、
前記記憶媒体は、前記受信部が受信した、前記複数のコンテンツと、前記設定情報と、を記憶する、
請求項３に記載の記憶装置。
【請求項５】
前記記憶媒体は、さらに、前記設定情報を編集するために前記第１の電子機器で実行可能な編集プログラムを記憶し、
前記送信部は、前記第１の電子機器に対して、前記編集プログラムを送信する、
請求項２乃至４のいずれか一つに記載の記憶装置。
【請求項６】
前記記憶媒体は、さらに、前記コンテンツを再生するために前記第２の電子機器で実行可能な再生プログラムを記憶し、
前記送信部は、前記第２の電子機器に対して、前記再生プログラムを送信する、
請求項１乃至５のいずれか一つに記載の記憶装置。
【請求項７】
外部機器と接続可能な接続インターフェースを、さらに備え、
前記送信部は、前記接続インターフェースと接続された外部機器を介して前記第２の電子機器と有線で接続された際、前記記憶媒体の一つのフォルダ内に、複数のコンテンツとして格納されている、複数の画像情報を、繰り返し再生可能に送信する、
請求項１乃至６のいずれか一つに記載の記憶装置。
【請求項８】
外部機器と接続可能な接続インターフェースを、さらに備え、
前記接続インターフェースと接続された外部機器から、前記記憶装置に電力が供給される、
請求項１乃至７のいずれか一つに記載の記憶装置。
【請求項９】
記憶装置で実行される方法であって、
前記記憶装置は、他の電子機器と無線を介して接続を確立して通信するためのアクセスポイント機能を有し、
第１の電子機器と接続するために前記第１の電子機器と少なくとも第１の認証を行い、第２の電子機器と接続するために前記第２の電子機器と少なくとも第２の認証を行い、
前記第１の認証が成功した後、前記第１の電子機器から、コンテンツを受信し、
前記コンテンツを記憶媒体に記憶し、
前記第２の認証が成功した後、前記第２の電子機器によりＵＲＬを用いて指定された前記記憶媒体上の前記コンテンツを、前記第２の電子機器において再生させるために、前記第２の電子機器へ前記コンテンツを送信する、
方法。
【請求項１０】
前記記憶媒体は、複数のコンテンツと、複数のコンテンツを切り替えるための設定情報と、を記憶し、
前記第２の電子機器に対して、前記設定情報と、前記複数のコンテンツと、を送信する、
請求項９に記載の方法。
【請求項１１】
前記記憶媒体は、さらに、前記第２の電子機器に表示される前記コンテンツの表示態様の変更を実行するスクリプトを記憶し、
前記第２の電子機器に対して、前記スクリプトを送信する、
請求項１０に記載の方法。
【請求項１２】
前記第１の認証が成功した後、前記第１の電子機器から、前記複数のコンテンツと、前記スクリプトを用いて前記複数のコンテンツのうち少なくともいずれか一つの表示態様の変更を行うための設定が示された前記設定情報と、を受信し、
受信した前記複数のコンテンツと、前記設定情報と、を前記記憶媒体に記憶する、
請求項１１に記載の方法。
【請求項１３】
前記設定情報を編集するために前記第１の電子機器で実行可能な編集プログラムを前記記憶媒体に記憶し、
前記第１の電子機器に対して、前記編集プログラムを送信する、
請求項１０乃至１２のいずれか一つに記載の方法。
【請求項１４】
前記コンテンツを再生するために前記第２の電子機器で実行可能な再生プログラムを前記記憶媒体に記憶し、
前記第２の電子機器に対して、前記再生プログラムを送信する、
請求項９乃至１３のいずれか一つに記載の方法。
【請求項１５】
前記記憶装置は、外部機器と接続可能な接続インターフェースを、さらに備え、
前記接続インターフェースと接続された外部機器を介して前記第２の電子機器と有線で接続された際、前記記憶媒体の一つのフォルダ内に、複数のコンテンツとして格納されている、複数の画像情報を、繰り返し再生可能に送信する、
請求項９乃至１４のいずれか一つに記載の方法。
【発明の詳細な説明】
【技術分野】
【０００１】
本発明の実施形態は、記憶装置、及び方法に関する。
【背景技術】
【０００２】
従来から、外部の装置と接続可能なインターフェースを備えた記憶装置が利用されている。当該記憶装置は、通常、フラッシュメモリなどの記憶媒体を備え、携帯可能なサイズで規格化されている。そして、上述したインターフェースから、デジタルカメラや、携帯電話や、デジタルテレビジョン表示装置等の様々な電子機器と接続できる。
【０００３】
また、電気回路及び記憶媒体の高密度化に伴い、TransferJet（登録商標）やIEEE802.11等の無線通信インターフェースを搭載した記憶装置が提案されている。これにより、他の電子機器は、無線通信インターフェースを介して、記憶装置が備えている記憶媒体に格納されているデータにアクセスできる。
【先行技術文献】
【特許文献】
【０００４】
【特許文献１】特開２０１０−１９０９５４号広報
【発明の概要】
【発明が解決しようとする課題】
【０００５】
一方、近年、画像や情報を表示する広告媒体としてデジタル表示装置を利用する技術が提案されている。しかしながら、デジタル表示装置が表示するコンテンツを変更するためには、ユーザが、コンテンツを編集するためのプログラムがインストールされた他の情報処理装置が必要となる。ユーザが、他の情報処理装置で当該コンテンツを編集した後、編集されたコンテンツを通信ネットワーク又は記憶媒体を介して、当該デジタル表示装置に受け渡すことで、コンテンツの切り替えを実現できる。このように、デジタル表示装置に表示するコンテンツを切り替える際に、ユーザにかかる負担が大きかった。
【０００６】
本発明の一実施形態は、上記に鑑みてなされたものであって、デジタル表示装置が表示するコンテンツの切替を容易にする記憶装置、及び方法を提案する。
【課題を解決するための手段】
【０００７】
実施形態の記憶装置は、他の電子機器と無線を介して接続を確立して通信するためのアクセスポイント機能を有する記憶装置であって、認証部と、受信部と、記憶媒体と、送信部と、を備える。認証部は、第１の電子機器と接続するために第１の電子機器と少なくとも第１の認証を行い、第２の電子機器と接続するために第２の電子機器と少なくとも第２の認証を行う。受信部は、第１の認証が成功した後、第１の電子機器から、コンテンツを受信する。記憶媒体は、コンテンツを記憶する。送信部は、第２の認証が成功した後、第２の電子機器によりＵＲＬを用いて指定された記憶媒体上のコンテンツを、第２の電子機器において再生させるために、第２の電子機器へ送信する。
【図面の簡単な説明】
【０００８】
【図１】図１は、実施形態の情報表示システムの構成例を示した図である。
【図２】図２は、実施形態のメモリカードの構成例を示した図である。
【図３】図３は、実施形態のＣＰＵが制御プログラムを実行したことで実現される構成と、ストレージデバイスに格納された構成と、を例示した図である。
【図４】図４は、実施形態の情報表示システムにおけるコンテンツの編集処理の手順を示すシーケンス図である。
【図５】図５は、実施形態の編集用プログラムの画面遷移を例示した図である。
【図６】図６は、実施形態のテンプレート選択画面で選択可能なテンプレートの一例を示した図である。
【図７】図７は、実施形態のテンプレート選択画面で選択可能なテンプレートの一例を示した図である。
【図８】図８は、実施形態の情報表示システムにおけるコンテンツの表示処理の手順を示すシーケンス図である。
【発明を実施するための形態】
【０００９】
図１は、本実施形態の情報表示システムの構成例を示した図である。本実施形態の情報表示システムは、図１に示されるように、タブレット端末１５０と、メモリカードリーダ１１０と、情報処理装置１６０と、デジタルテレビジョン表示装置１７０と、で構成されている。
【００１０】
メモリカードリーダ１１０は、メモリカード１００が装着された場合に、メモリカード１００に対するデータの読み書きを可能にする。
【００１１】
さらには、メモリカードリーダ１１０は、装着されたメモリカード１００に対して、電力を供給する。これにより、メモリカード１００に無線通信モジュールが格納されている場合、メモリカードリーダ１１０を介さずに、他の電子機器と情報の送受信が可能となる。
【００１２】
タブレット端末１５０は、表示部１５１を備えると共に、利用者が携帯可能な端末であって、（図示しない）無線通信モジュールが格納されている。さらには、タブレット端末１５０に搭載された（図示しない）ＣＰＵが、プログラムを実行することで、様々な機能を提供できる。
【００１３】
情報処理装置１６０は、少なくとも表示部１６１と、（図示しない）無線通信モジュールと、を備えている。さらには、情報処理装置１６０に搭載された（図示しない）ＣＰＵが、プログラムを実行することで、様々な機能を提供できる。
【００１４】
デジタルテレビジョン表示装置１７０は、（図示しない）無線通信モジュールと、表示部１７１と、を備えている。さらには、デジタルテレビジョン表示装置１７０に搭載された（図示しない）ＣＰＵが、（図示しない）記憶部に記憶されたブラウザプログラムを、実行することで、ブラウザ部を実現可能とする。
【００１５】
また、デジタルテレビジョン表示装置１７０は、メモリカードリーダ１７２と接続されている。これにより、デジタルテレビジョン表示装置１７０は、メモリカードリーダ１７２にメモリカード（例えばメモリカード１００）が装着された場合に、当該メモリカードに格納されているデータにアクセスできる。
【００１６】
メモリカード１００は、無線通信モジュールを備えていると共に、当該無線通信モジュールを用いて無線アクセスポイント機能を実現できる。メモリカード１００は、無線アクセスポイント機能を使用することで、無線通信モジュールを備えた電子機器との間の通信を確立できる。
【００１７】
本実施形態においては、情報処理装置１６０、及びデジタルテレビジョン表示装置１７０が、メモリカード１００との間で無線通信を確立した場合に、当該メモリカード１００から、広告等として表示するためのコンテンツを取得して、当該コンテンツを表示可能とする。
【００１８】
本実施形態においては、コンテンツとしては、画像データの他に、ＨＴＭＬファイルが含まれている。当該ＨＴＭＬファイルは、画像ファイルのパス（ストレージ内での格納場所）が指定されている他、文字列情報が記述されている。これにより、広告等として、文字列と画像データとを組み合わせて表示できる。なお、コンテンツとして画像データのみを表示しても良い。
【００１９】
また、本実施形態においては、タブレット端末１５０が、メモリカード１００に対してアクセスすることで、情報処理装置１６０及びデジタルテレビジョン表示装置１７０に、広告等として表示されるコンテンツを編集可能とする。
【００２０】
つまり、従来、広告等を表示するデジタルサイネージシステムにおいては、他の情報処理装置で画像データを編集した後、画像データをサーバの記憶装置に記憶させていた。その後、サーバが、公衆ネットワークを介して、各所に設けられたデジタルサイネージ端末（デジタルテレビジョン表示装置）と接続することで、表示する画像データ群を切り替えていた。このような画像データ群の切り替え手順は、大規模事業者であれば可能であるが、小規模事業者の場合には難しい。小規模事業者の場合には、ユーザが直接デジタルサイネージ端末の記憶装置にアクセスして、画像データ群を切り替える必要があり、負担が大きかった。
【００２１】
さらには、デジタルサイネージ端末（デジタルテレビジョン表示装置）に画像データを表示した後、画像データの再修正を行おうとした場合に、編集用の他の情報処理装置で再度編集を行う必要があった。
【００２２】
そこで、本実施形態では、コンテンツを切り替える際の負担を軽減するメモリカード１００について説明する。
【００２３】
図２は、本実施形態のメモリカード１００の構成例を示した図である。図２に示されるように、メモリカード１００は、外部接続用Ｉ／Ｆ２０１と、ＣＰＵ２０２と、メモリ２０３と、ストレージデバイス２０４と、ＲＯＭ２０５と、無線通信モジュール２０６と、を備え、バス２６０により相互間を接続している。
【００２４】
メモリカード１００は、サイズ及び外部接続用Ｉ／Ｆ２０１が規格化された記憶装置（例えばＳＤメモリカード）であり、同じ規格（例えばＳＤ規格）に従ったインターフェースを備えた外部機器であれば接続可能とする。また、本実施形態の当該メモリカード１００は、ユーザが携帯可能なサイズとする。
【００２５】
ＣＰＵ２０２は、メモリカード１００の全体を制御する。また、ＣＰＵ２０２は、ＲＯＭ２０５に格納されているプログラムを実行し、メモリ２０３を作業領域として利用することで、プログラムに基づく各種機能を実現する。
【００２６】
外部接続用Ｉ／Ｆ２０１は、メモリカードリーダ（例えば、メモリカードリーダ１１０やメモリカードリーダ１７２の他に、デジタルスチルカメラに内蔵されているメモリカードスロット等）等の電子機器と接続可能な接続インターフェースとする。
【００２７】
外部接続用Ｉ／Ｆ２０１は、ＣＰＵ２０２の制御に従って、メモリカードリーダ等を介して接続された他の電子機器との間でデータの送受信を行う。
【００２８】
そして、外部接続用Ｉ／Ｆ２０１は、電源供給用Ｉ／Ｆ２１１をさらに備えている。電源供給用Ｉ／Ｆ２１１は、外部接続用Ｉ／Ｆ２０１に接続されたメモリカードリーダ等から、メモリカード１００全体に電力を供給するためのＩ／Ｆとする。メモリカード１００は、当該電源供給用Ｉ／Ｆ２１１を介して電力が供給されることで、以下に示すＣＰＵ２０２等を動作させることができる。
【００２９】
メモリ２０３は、ＣＰＵ２０２により作業領域として利用される他に、他の電子機器がデータを読み書きする際のキャッシュメモリとして利用される。
【００３０】
ストレージデバイス２０４は、編集用プログラム２４１と、再生用プログラム２４２と、データ記憶領域２４３と、が設けられている。ストレージデバイス２０４は、例えばフラッシュメモリ等の不揮発性の半導体メモリで構成されている。ストレージデバイス２０４に記憶されるデータは、複数のブロック（セクタ）に区分され、ブロック単位でデータの読み出しや書き込みが行われる。
【００３１】
編集用プログラム２４１は、情報処理装置１６０やデジタルテレビジョン表示装置１７０に表示するためのコンテンツを編集するためのプログラムとする。本実施形態では、例えばタブレット端末１５０で実行可能とする。
【００３２】
再生用プログラム２４２は、表示装置に内蔵するブラウザ機能を利用して、コンテンツを再生する目的に特化したプログラムである。
【００３３】
データ記憶領域２４３は、外部機器が読み書きするためのデータを格納するための記憶媒体とする。
【００３４】
無線通信モジュール２０６は、例えば、TransferJet（登録商標）やWi-Fi（登録商標）等の無線通信インターフェースとする。また、無線通信モジュール２０６は、ＣＰＵ２０２の制御に従って、他の外部機器との間でデータの送受信を可能にする。
【００３５】
ＲＯＭ２０５は、制御プログラム２５１と、ＨＴＴＰサーバプログラム２５２と、を備えている。
【００３６】
ＨＴＴＰサーバプログラム２５２が、ＣＰＵ２０２に実行された場合に、当該ＣＰＵ２０２が、無線通信モジュール２０６を制御して、他の電子機器と無線を介して接続を確立して通信するための無線アクセスポイント機能を実現する。これにより、無線通信モジュールを備えた電子機器は、メモリカード１００に直接無線通信で接続できる。
【００３７】
また、ＨＴＴＰサーバプログラム２５２が、ＣＰＵ２０２に実行された場合に、当該ＣＰＵ２０２が、無線通信モジュール２０６を制御して、ＨＴＴＰサーバ機能を実現する。これにより電子機器に搭載されたブラウザ部に対して、コンテンツを表示可能とする。さらには、ＨＴＴＰプロトコルを用いて、プログラムなどのデータの送受信も可能とする。
【００３８】
次に、ＣＰＵ２０２が、制御プログラム２５１を実行した場合について説明する。図３は、本実施形態のＣＰＵ２０２が制御プログラム２５１を実行したことで実現される構成と、ストレージデバイス２０４に格納された構成と、を例示した図である。
【００３９】
図３に示されるように、ＣＰＵ２０２が、制御プログラム２５１を実行することで、認証部３０１と、受信制御部３０２と、送信制御部３０３と、が実現される。
【００４０】
認証部３０１は、無線アクセスポイント機能による、無線通信の接続要求をしてきた電子機器と接続するために、当該電子機器と認証を行う。認証手法としてはどのような手法を用いても良いが、例えば、ＳＳＩＤ（Service  Set  Identifier）と、暗号化キーと、を用いた認証が考えられる。
【００４１】
受信制御部３０２は、外部接続用Ｉ／Ｆ２０１及び無線通信モジュール２０６のうちいずれか一つ以上を用いて、電子機器からデータを受信する。例えば、受信制御部３０２は、認証部３０１による認証が成功した後、認証が成功した電子機器（例えば、第１の電子機器として、タブレット端末１５０等）から、無線通信モジュール２０６を用いて、コンテンツ等を受信する。
【００４２】
送信制御部３０３は、外部接続用Ｉ／Ｆ２０１及び無線通信モジュール２０６のうちいずれか一つ以上を用いて、電子機器に対して、データを送信する。例えば、送信制御部３０３は、認証部３０１による認証が成功した後、認証が成功した電子機器（例えば、第２の電子機器として、情報処理装置１６０、及びデジタルテレビジョン表示装置１７０のうちいずれか一つ以上等）によりＵＲＬを用いて指定されたデータ記憶領域２４３上のコンテンツを、当該電子機器において再生させるために、無線通信モジュール２０６を用いて、コンテンツ等を送信する。
【００４３】
本実施形態では、デジタルテレビジョン表示装置１７０や情報処理装置１６０にコンテンツを表示する手法として、２つの手法から選択可能とする。
【００４４】
コンテンツを表示する第１の手法としては、一つのフォルダに格納した複数のコンテンツ（例えば、ＪＰＥＧ等の画像データ）を所定の時間毎に切り替えて表示する手法とする。
【００４５】
コンテンツを表示する第２の手法としては、電子機器が、ＨＴＭＬファイルを読み込んだ際に、当該ＨＴＭＬファイルを介してスクリプトファイルを読み込み、スクリプトファイル内に記述された関数を利用して、画像や文字列が埋め込まれているＨＴＭＬファイルを切り替えて表示する手法とする。
【００４６】
コンテンツを表示する第２の手法を実現するためには、データ記憶領域２４３に格納されている、起動用ＨＴＭＬファイルと、スクリプトファイルと、複数のＨＴＭＬテンプレートファイルと、設定ファイルと、コンテンツとして表示される画像データと、を用いる。
【００４７】
例えば、デジタルテレビジョン表示装置１７０のブラウザ部が、起動用ＨＴＭＬファイルを実行することで、当該起動用ＨＴＭＬファイル内部に記載されている、スクリプトファイルと、設定ファイルと、にアクセスする。
【００４８】
スクリプトファイルは、表示するＨＴＭＬファイルを切り替えるための関数や、ＨＴＭＬファイルの表示態様の変更を実行するための関数や、ＨＴＭＬテンプレートファイルから、表示するためのＨＴＭＬファイルを生成するための関数が記述されている。
【００４９】
設定ファイルは、例えば、ＪＳＯＮ方式で、複数のコンテンツを切り替えて表示するための設定が格納されている。設定としては、表示対象となる複数の画像データを示すファイル名、コンテンツとして表示するために利用するＨＴＭＬテンプレートの識別情報、複数の画像データの切り替え時間（表示間隔）や、画像データと共に表示する文字列、文字色、背景色の透明度、コンテンツを切り替える際の表示態様（例えばフェードアウト）の識別情報が含まれている。
【００５０】
そして、デジタルテレビジョン表示装置１７０のブラウザ部は、設定ファイルに格納されている設定に基づいて、スクリプトファイルに記述されている関数を呼び出して、ＨＴＭＬテンプレートファイルから、画像ファイルのパス名で所定のＩＭＧタグの属性を書き換えられたり、所定の要素内の文字列を書き換えられたＨＴＭＬファイルを生成し、表示する。そして、設定ファイルにより設定された切り替え時間経過後に、次に表示するためのＨＴＭＬファイルを生成し、表示する。
【００５１】
例えば、タブレット端末１５０でコンテンツの編集が行われた場合に、認証部３０１が、タブレット端末１５０の認証を行う。そして、受信制御部３０２が、認証部３０１による認証が成功したタブレット端末１５０から、少なくとも設定ファイルと、コンテンツとして表示する画像データと、を受信する。その際に、受信制御部３０２は、タブレット端末１５０から、ＨＴＭＬテンプレートファイル、スクリプトファイル、及び起動用ＨＴＭＬファイルのうちいずれか一つ以上も受信しても良い。
【００５２】
そして、送信制御部３０３は、当該電子機器（例えば、タブレット端末１５０）によりＵＲＬを用いて指定されたストレージデバイス２０４上の記憶画像データ、起動用ＨＴＭＬファイル、スクリプトファイル、ＨＴＭＬテンプレートファイル、及び設定ファイル等を送信する。
【００５３】
これにより、送信先の電子機器により、文字列情報と画像データとを含んだコンテンツの切り替え表示を実現できる。
【００５４】
ところで、本実施形態では、メモリカード１００に、コンテンツを表示するために必要な機能は全て格納されている。
【００５５】
例えば、メモリカード１００のストレージデバイス２０４は、コンテンツ表示に必要なデータを編集するために、タブレット端末１５０で実行可能な編集用プログラム２４１を記憶している。これにより、例えば、ユーザが、コンテンツを編集したい場合、ユーザが所持している電子機器（例えば、タブレット端末１５０）が、無線又は有線で、当該メモリカード１００にアクセス可能であれば、当該電子機器でコンテンツの編集が可能としている。なお、メモリカード１００は、メモリカードリーダ１１０に装着され、少なくとも電力の供給が行われる必要がある。
【００５６】
そして、タブレット端末１５０が、メモリカード１００の無線アクセスポイント機能を用いて、メモリカード１００にアクセスした場合に、認証部３０１が、タブレット端末１５０と接続するためにタブレット端末１５０と少なくとも認証を行う。
【００５７】
メモリカード１００の送信制御部３０３は、無線通信モジュール２０６を用いて、認証が成功したタブレット端末１５０に対して、必要に応じて、編集用プログラム２４１を送信制御する。これにより、ユーザは、タブレット端末１５０を利用して、コンテンツを表示するための編集が可能となる。
【００５８】
他の例としては、メモリカード１００のストレージデバイス２０４は、コンテンツを再生するために、情報処理装置１６０で実行可能な再生用プログラム２４２を記憶している。これにより、例えば、ユーザが、コンテンツを再生したい場合、表示部を備えた電子機器（例えば、情報処理装置１６０）が、無線又は有線で、当該メモリカード１００にアクセス可能であれば、当該電子機器でコンテンツの再生が可能としている。
【００５９】
そして、情報処理装置１６０が、メモリカード１００の無線アクセスポイント機能を用いて、メモリカード１００にアクセスした場合に、認証部３０１が、情報処理装置１６０と接続するために情報処理装置１６０と少なくとも認証を行う。
【００６０】
メモリカード１００の送信制御部３０３は、無線通信モジュール２０６を用いて、認証が成功した情報処理装置１６０に対して、必要に応じて、再生用プログラム２４２を送信制御する。そして、情報処理装置１６０が、再生用プログラムを実行することで、コンテンツの表示が可能となる。
【００６１】
次に、本実施形態の情報表示システムにおけるコンテンツの編集処理について説明する。図４は、本実施形態の情報表示システムにおける上述した処理の手順を示すシーケンス図である。
【００６２】
まず、タブレット端末１５０は、メモリカード１００の無線アクセスポイント機能を用いて、無線通信の接続要求を行う（ステップＳ４０１）。そして、無線通信の接続要求に従って、タブレット端末１５０と、メモリカード１００と、の間で無線通信をするための認証、例えば、ＳＳＩＤによる認証を行う（ステップＳ４０２）。これにより、タブレット端末１５０と、メモリカード１００との間の無線通信が確立される。
【００６３】
そして、メモリカード１００の送信制御部３０３は、タブレット端末１５０に対して、プログラムの一覧を出力する（ステップＳ４０３）。これにより、ユーザは、タブレット端末１５０にダウンロード可能なプログラムを選択できる。本シーケンス図では、ユーザは、コンテンツの編集用プログラム２４１を選択する。
【００６４】
そして、タブレット端末１５０は、メモリカード１００に対して、編集用プログラム２４１のダウンロードを要求する（ステップＳ４０４）。
【００６５】
これに伴い、メモリカード１００の送信制御部３０３は、タブレット端末１５０に対して、編集用プログラム２４１を送信する（ステップＳ４０５）。換言すれば、タブレット端末１５０は、メモリカード１００から、編集用プログラム２４１のダウンロードが行われる。
【００６６】
そして、編集用プログラム２４１の送信が完了した後、タブレット端末１５０では、インストールの上、編集用プログラム２４１を実行する（ステップＳ４０６）。
【００６７】
そして、タブレット端末１５０では、編集用プログラム２４１による、コンテンツの保存が行われる（ステップＳ４０７）。
【００６８】
本実施形態では、上述した処理手順により、メモリカード１００と無線通信可能な電子機器（例えばタブレット端末１５０）があれば、コンテンツの編集が可能となる。
【００６９】
次に、タブレット端末１５０で実行される編集用プログラム２４１について説明する。図５は、編集用プログラム２４１の画面遷移を例示した図である。
【００７０】
図５に示すように、編集用プログラム２４１が実行された場合、タブレット端末１５０の表示部１５１には、メニュー画面５０１が表示される。
【００７１】
メニュー画面５０１においては、保存済みのコンテンツ情報と、新規作成と、が選択可能とする。保存済みのコンテンツ情報とは、複数のコンテンツ（例えば、画像データや文字列）を切り替えて表示するための必要なデータ群とし、少なくとも複数の画像データと、設定ファイルと、を含んでいる。
【００７２】
ユーザが、保存済みのコンテンツ情報を選択した場合には、編集画面５０４に遷移する。一方、新規作成を選択した場合には、テンプレート選択画面５０２に遷移する。
【００７３】
テンプレート選択画面５０２においては、コンテンツを表示するためのテンプレートを選択する。本実施形態では、編集用プログラム２４１に内蔵するテンプレートから選択する。テンプレートは、コンテンツを表示する電子機器の表示部に従って選択する。例えば、ユーザは、電子機器が縦置きタイプか、横置きタイプかに従って、テンプレートを選択する。さらには、ユーザは、文字列と画像データとの配置関係に従って、テンプレートを選択する。なお、選択可能なテンプレートの数は、実施態様に応じて決定するものとする。
【００７４】
図６は、テンプレート選択画面５０２で選択可能なテンプレートの一例を示した図である。図６に示される例では、画像などのコンテンツを割り当てる領域６０１と、ユーザが文字列を書き込むためのテキスト部６０２と、で構成されている。
【００７５】
図７は、テンプレート選択画面５０２で選択可能なテンプレートの一例を示した図である。図７に示される例では、ユーザがコンテンツの題名を書き込むためのタイトル領域７０１と、画像などのコンテンツを割り当てる領域７０２、ユーザが文章の見出しを書き込むための見出し７０３と、文章を書き込むためのテキスト部７０４と、で構成されている。
【００７６】
このように、デジタルテレビジョン表示装置１７０や、情報処理装置１６０にコンテンツを表示するためのテンプレートを選択できる。なお、図６及び図７に示す例では、縦置きタイプの場合のテンプレートを例示したが、横置きタイプの場合のテンプレートも選択できる。ユーザは、コンテンツの表示先の電子機器や、コンテンツの内容、ユーザが表示したい情報に応じて、テンプレートを選択する。なお、本実施形態では、テンプレートを一つ選択する例について説明するが、複数のテンプレートを混在可能に選択しても良い。
【００７７】
なお、図６及び図７に示される例では、一画面に、画像データを一つ配置しているが、画像データを複数配置してもよい。
【００７８】
ユーザがテンプレート選択画面５０２でテンプレートを選択した場合、編集用プログラム２４１により、サンプル画面５０３に遷移する。ユーザが、サンプル画面５０３を視認して問題ない場合、編集用プログラム２４１は、当該テンプレートに決定する旨の操作を受け付ける。これにより、編集画面５０４に遷移する。
【００７９】
編集画面５０４においては、コンテンツを切り替え表示、換言すればスライドショーを設定する編集画面とする。当該編集画面においては、コンテンツの数と、コンテンツの表示間隔と、を設定可能とする。編集画面５０４においては、コンテンツとして表示される各ページの一覧が表示される。当該各ページの一覧から、ユーザが編集したいコンテンツ（ページ）を選択した場合に、個別編集画面５０５に遷移する。
【００８０】
個別編集画面５０５は、コンテンツ（ページ）を編集するために、画像選択画面５０６と、テキスト詳細設定画面５０７と、で構成されている。
【００８１】
画像選択画面５０６は、コンテンツとして表示するための画像データを選択するための画面であり、タブレット端末１５０で撮像された画像データを選択しても良いし、タブレット端末１５０に格納された画像データや、公衆ネットワークを介して取得した画像データを選択しても良い。
【００８２】
テキスト詳細設定画面５０７は、コンテンツとして表示するための文字列を入力するための画面とする。当該画面においては、選択されているテンプレートに対応する文字列入力領域が配置されている。これにより、ユーザが、選択したテンプレートに適した文字列を入力できる。さらに、テキスト詳細設定画面５０７は、文字の背景色や、背景として表示される画像データの設定も受け付ける。
【００８３】
そして、編集画面５０４において、ユーザが編集終了の操作を行った場合に、プレビュー画面５０８に遷移する。
【００８４】
プレビュー画面５０８においては、編集が完了したコンテンツ情報に基づくスライドショーが表示される。当該プレビュー画面５０８において、ユーザがコンテンツを確認した後、当該コンテンツ情報の保存が行われる。これにより、編集用プログラム２４１は、コンテンツ情報を構成する、画像データと、コンテンツを切り替え表示するために必要な情報が格納された設定ファイルと、を保存する。なお、テキスト詳細設定画面５０７で入力された文字列は、他の設定と共に設定ファイルに格納されている。そして、保存された画像データと、設定ファイルと、は、必要に応じてメモリカード１００に送信される。
【００８５】
次に、本実施形態の情報表示システムにおけるコンテンツの表示処理について説明する。図８は、本実施形態の情報表示システムにおける上述した処理の手順を示すシーケンス図である。
【００８６】
まず、タブレット端末１５０が、メモリカード１００の無線アクセスポイント機能を用いて、無線通信の接続要求を行う。これにより、メモリカード１００の認証部３０１が、タブレット端末１５０と接続し、無線通信をするための認証、例えば、ＳＳＩＤによる認証を行う（ステップＳ８０１）。
【００８７】
そして、受信制御部３０２が、認証が成功したタブレット端末１５０から、コンテンツとして、少なくとも、画像データと設定ファイルと、を受信する（ステップＳ８０２）。
【００８８】
そして、受信制御部３０２は、受信したコンテンツである、画像データと設定ファイルとを、ストレージデバイス２０４のデータ記憶領域２４３に保存する（ステップＳ８１１）。
【００８９】
一方、デジタルテレビジョン表示装置１７０においては、ブラウザプログラムを起動する（ステップＳ８２１）。これにより、デジタルテレビジョン表示装置１７０内にブラウザ部が実現される。なお、情報処理装置１６０の場合は、メモリカード１００から受信した再生プログラムを起動する。
【００９０】
そして、デジタルテレビジョン表示装置１７０のブラウザ部では、ユーザから、コンテンツの再生方式の選択を受け付ける（ステップＳ８２２）。再生方式としては、同一フォルダ内の画像データの切り替え方式、及びＨＴＭＬファイルを用いた方式から選択できる。本シーケンス図では、ＨＴＭＬファイルを用いた方式の選択がなされたものとする。
【００９１】
次に、デジタルテレビジョン表示装置１７０が、メモリカード１００の無線アクセスポイント機能を用いて、無線通信の接続要求を行うことで、無線通信の接続要求を行う。これにより、メモリカード１００の認証部３０１が、デジタルテレビジョン表示装置１７０と接続し、無線通信をするための認証、例えば、ＳＳＩＤによる認証を行う（ステップＳ８１２）。
【００９２】
そして、送信制御部３０３が、認証が成功したデジタルテレビジョン表示装置１７０のブラウザ部によりＵＲＬを用いて指定された起動用ＨＴＭＬファイルの送信要求に従って、ＨＴＴＰプロトコルを用いて、起動用ＨＴＭＬファイルを送信する（ステップＳ８１３）。なお、起動用ＨＴＭＬファイルのファイル名は、予め定められているものとする。これにより、ブラウザ部は、無線通信確立時に、起動用ＨＴＭＬファイルを読み込むことができる。
【００９３】
そして、デジタルテレビジョン表示装置１７０のブラウザ部は、起動用ＨＴＭＬファイルを実行する（ステップＳ８２３）。
【００９４】
そして、デジタルテレビジョン表示装置１７０のブラウザ部は、起動用ＨＴＭＬファイルに記述されているスクリプトファイル、及び設定ファイルの送信をメモリカード１００に要求することで、メモリカード１００の送信制御部３０３は、デジタルテレビジョン表示装置１７０のブラウザ部によりＵＲＬを用いて指定された送信要求に従って、ＨＴＴＰプロトコルを用いて、スクリプトファイル、及び設定ファイルを送信する（ステップＳ８１４）。さらに、スクリプトファイルと、設定ファイルとを読み込んだブラウザ部は、当該設定ファイルに示された設定に従って、ＨＴＭＬテンプレートファイル、及び画像データを要求する。
【００９５】
これにより、メモリカード１００の送信制御部３０３は、デジタルテレビジョン表示装置１７０のブラウザ部によりＵＲＬを用いて指定された送信要求に対して、ＨＴＴＰプロトコルを用いて、ＨＴＭＬテンプレートファイル、及び画像データを送信する（ステップＳ８１５）。
【００９６】
そして、デジタルテレビジョン表示装置１７０のブラウザ部は、スクリプトファイルに示されている関数を用いて、設定ファイルに記述された設定に基づいて、受信した画像ファイルと、設定ファイルに格納されている文字列と、が表示されるような表示用ＨＴＭＬファイルを生成する（ステップＳ８２４）。
【００９７】
そして、デジタルテレビジョン表示装置１７０のブラウザ部は、生成した表示用ＨＴＭＬファイルを表示する（ステップＳ８２５）。次に、デジタルテレビジョン表示装置１７０のブラウザ部は、設定ファイルに設定されている切替時間を経過した場合に、次の表示用ＨＴＭＬファイルが表示されるように、ステップＳ８２４〜Ｓ８２５の処理を繰り返し行う。
【００９８】
上述した処理手順により、タブレット端末１５０で編集されたコンテンツを、デジタルテレビジョン表示装置１７０で表示可能となる。
【００９９】
なお、上述した処理手順では、無線通信を用いて、コンテンツを送受信して、デジタルテレビジョン表示装置１７０にコンテンツを表示する例について説明した。しかしながら、本実施形態は、無線通信を用いて、コンテンツを送受信する例に制限するものではない。
【０１００】
例えば、メモリカード１００の外部接続用Ｉ／Ｆ２０１を用い、コンテンツを送信しても良い。これは、メモリカード１００が、デジタルテレビジョン表示装置１７０のメモリカードリーダ１７２に装着する場合に行われることが考えられる。
【０１０１】
この場合、メモリカード１００の送信制御部３０３が、外部接続用Ｉ／Ｆ２０１と接続されたメモリカードリーダ１７２を介して、デジタルテレビジョン表示装置１７０と有線で接続された場合に、データ記憶領域２４３の一つのフォルダ内に、複数のコンテンツとして格納されている、複数の画像データを繰り返し再生可能に、デジタルテレビジョン表示装置１７０に送信する。
【０１０２】
なお、メモリカード１００としては、どのような種類の記憶装置を用いても良いが、例えばFlashAir（登録商標）を用いることが考えられる。
【０１０３】
上述した実施形態においては、メモリカード１００が上述した構成を備えることで、コンテンツの更新、切り替えが容易になる。
【０１０４】
従来、公衆通通信回線を経由して、各所に設置された表示装置のコンテンツの更新を行う傾向にあった。このような場合、業者は、更新されたコンテンツを格納したサーバが、各所に設置された表示装置に対してコンテンツの一括更新が可能であるが、小規模業者でこのようなシステムを導入するのが難しい。
【０１０５】
そこで、本実施形態では、メモリカード１００に、コンテンツを格納したサーバ機能を担わせることにした。つまり、ユーザは、タブレット端末１５０で編集されたコンテンツを格納したメモリカード１００を携帯して、コンテンツの更新対象となる電子機器に移動する。これにより、当該電子機器と、メモリカード１００との間で認証を行った後、無線通信が自動接続された場合に、コンテンツの自動更新が可能となる。これにより、コンテンツを更新するためのユーザの負担を軽減できる。
【０１０６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０７】
１００…メモリカード、１１０…メモリカードリーダ、１５０…タブレット端末、１５１…表示部、１６０…情報処理装置、１６１…表示部、１７０…デジタルテレビジョン表示装置、１７１…表示部、１７２…メモリカードリーダ、２０１…外部接続用Ｉ／Ｆ、２０２…ＣＰＵ、２０３…メモリ、２０４…ストレージデバイス、２０５…ＲＯＭ、２０６…無線通信モジュール、２１１…電源供給用Ｉ／Ｆ、２４１…編集用プログラム、２４２…再生用プログラム、２４３…データ記憶領域、２５１…制御プログラム、２５２…ＨＴＴＰサーバプログラム、２６０…バス、３０１…認証部、３０２…受信制御部、３０３…送信制御部。
【図１】
2016066123.tif 000003
【図２】
2016066123.tif 000004
【図３】
2016066123.tif 000005
【図４】
2016066123.tif 000006
【図５】
2016066123.tif 000007
【図６】
2016066123.tif 000008
【図７】
2016066123.tif 000009
【図８】
2016066123.tif 000010